(57)【特許請求の範囲】
【請求項１】
折りたたみ式の筐体と、
ＧＰＳ衛星からの信号に基づく測位を開始し、タイムアウト時間内に前記測位が完了しない場合に前記測位を中止するＧＰＳ受信機と、
前記筐体の開閉状態を検出する開閉検出部と、
前記筐体が開状態の場合に前記タイムアウト時間を第１時間に設定し、前記筐体が閉状態の場合に前記タイムアウト時間を前記第１時間より長い第２時間に設定するタイムアウト時間変更部と、
デバイスと、
前記デバイスが動作中かどうかを検出する動作検出部と
を具備し、
前記タイムアウト時間変更部は、
前記筐体が開状態且つ前記デバイスが動作中でない場合に前記タイムアウト時間を前記第１時間に設定し、前記筐体が閉状態且つ前記デバイスが動作中でない場合に前記タイムアウト時間を前記第２時間に設定し、前記筐体が開状態且つ前記デバイスが動作中である場合に前記タイムアウト時間を第３時間に設定し、前記筐体が閉状態且つ前記デバイスが動作中である場合に前記タイムアウト時間を第４時間に設定し、
前記第３時間は前記第１時間より長く、
前記第４時間は前記第２時間及び前記第３時間のどちらよりも長い
携帯電話機。
【請求項２】
前記筐体は、第１筐体部分と、ヒンジを介して前記第１筐体部分に接続された第２筐体部分とを備え、
前記ＧＰＳ受信機は、前記信号を受信するＧＰＳ回路を備え、
前記第１筐体部分及び前記第２筐体部分の一方に前記ＧＰＳ回路が配置され、他方に前記デバイスが配置される
請求項１の携帯電話機。
【請求項３】
前記筐体は、第１筐体部分と、ヒンジを介して前記第１筐体部分に接続された第２筐体部分とを備え、
前記ＧＰＳ受信機は、前記信号を受信するＧＰＳ回路を備え、
前記第１筐体部分及び前記第２筐体部分の一方に前記ＧＰＳ回路が配置され、前記一方に前記デバイスが配置される
請求項１の携帯電話機。
【請求項４】
前記デバイスは、照度センサである
請求項１乃至３のいずれかに記載の携帯電話機。
【請求項５】
折りたたみ式の筐体と、
ＧＰＳ衛星からの信号に基づく測位を開始し、タイムアウト時間内に前記測位が完了しない場合に前記測位を中止する測位手段と、
前記筐体の開閉状態を検出する開閉検出手段と、
前記筐体が開状態の場合に前記タイムアウト時間を第１時間に設定し、前記筐体が閉状態の場合に前記タイムアウト時間を前記第１時間より長い第２時間に設定するタイムアウト時間変更手段と、
デバイスと、
前記デバイスが動作中かどうかを検出する動作検出手段と
を具備し、
前記タイムアウト時間変更手段は、
前記筐体が開状態且つ前記デバイスが動作中でない場合に前記タイムアウト時間を前記第１時間に設定し、前記筐体が閉状態且つ前記デバイスが動作中でない場合に前記タイムアウト時間を前記第２時間に設定し、前記筐体が開状態且つ前記デバイスが動作中である場合に前記タイムアウト時間を第３時間に設定し、前記筐体が閉状態且つ前記デバイスが動作中である場合に前記タイムアウト時間を第４時間に設定し、
前記第３時間は前記第１時間より長く、
前記第４時間は前記第２時間及び前記第３時間のどちらよりも長い
携帯電話機。
【請求項６】
前記信号を受信するＧＰＳ回路を更に具備し、
前記筐体は、第１筐体部分と、ヒンジを介して前記第１筐体部分に接続された第２筐体部分とを備え、
前記第１筐体部分及び前記第２筐体部分の一方に前記ＧＰＳ回路が配置され、他方に前記デバイスが配置される
請求項５の携帯電話機。
【請求項７】
前記信号を受信するＧＰＳ回路を更に具備し、
前記筐体は、第１筐体部分と、ヒンジを介して前記第１筐体部分に接続された第２筐体部分とを備え、
前記第１筐体部分及び前記第２筐体部分の一方に前記ＧＰＳ回路が配置され、前記一方に前記デバイスが配置される
請求項５の携帯電話機。
【発明の詳細な説明】
【技術分野】
【０００１】
本発明は、携帯電話機に関し、特に、ＧＰＳ（Ｇｌｏｂａｌ Ｐｏｓｉｔｉｏｎｉｎｇ Ｓｙｓｔｅｍ）機能付きの携帯電話機に関する。
【背景技術】
【０００２】
ＧＰＳ機能付きの携帯電話機が知られている。ＧＰＳ機能により、ＧＰＳ衛星からの信号に基づいて携帯電話機の位置を算出する測位が実行される。ここで、信号が蓄積されて位置が算出される。信号の受信状態が悪い場合には、信号が十分に蓄積されるまで時間がかかるため、位置が算出されて測位が完了するまで時間がかかる。
【０００３】
ＧＰＳ機能による測位中は、携帯電話機の他の機能の使用が制限される場合がある。そこで、タイムアウト時間が設定され、タイムアウト時間内に測位が完了しない場合には測位が中止される。
【０００４】
タイムアウト時間が短すぎると、測位が完了する確率が低くなる。タイムアウト時間が長すぎると、他の機能の使用が長時間制限されるため、携帯電話機の使い勝手が悪くなる。
【０００５】
特許文献１は、携帯電話機のような端末を開示している。端末は、太陽電池パネルと、ＧＰＳ装置とを備える。端末においては、太陽光発電量に基づいてサーチタイムアウト時間が変更される。サーチタイムアウト時間は、ＧＰＳ衛星を探索（サーチ）しても捕捉できない場合にサーチを中止するまでの時間を示す。
【０００６】
【特許文献１】特開２００６−２９９６１号公報
【発明の開示】
【発明が解決しようとする課題】
【０００７】
本発明の目的は、ＧＰＳ機能による測位のタイムアウト時間が携帯電話機の使用状況に適するように自動的に変更される携帯電話機を提供することである。
【課題を解決するための手段】
【０００８】
本発明による携帯電話機は、折りたたみ式の筐体と、ＧＰＳ受信機と、筐体の開閉状態を検出する開閉検出部と、タイムアウト時間変更部とを具備する。ＧＰＳ受信機は、ＧＰＳ衛星からの信号に基づく測位を開始し、タイムアウト時間内に測位が完了しない場合に測位を中止する。タイムアウト時間変更部は、筐体が開状態の場合にタイムアウト時間を第１時間に設定し、筐体が閉状態の場合にタイムアウト時間を第１時間より長い第２時間に設定する。
【０００９】
本発明による携帯電話機は、折りたたみ式の筐体と、測位手段と、筐体の開閉状態を検出する開閉検出手段と、タイムアウト時間変更手段とを具備する。測位手段は、ＧＰＳ衛星からの信号に基づく測位を開始し、タイムアウト時間内に測位が完了しない場合に測位を中止する。タイムアウト時間変更手段は、筐体が開状態の場合にタイムアウト時間を第１時間に設定し、筐体が閉状態の場合にタイムアウト時間を第１時間より長い第２時間に設定する。
【発明の効果】
【００１０】
本発明によれば、ＧＰＳ機能による測位のタイムアウト時間が携帯電話機の使用状況に適するように自動的に変更される携帯電話機が提供される。
【発明を実施するための最良の形態】
【００１１】
添付図面を参照して、本発明の実施形態に係る携帯電話機を以下に説明する。
【００１２】
（第１の実施形態）
図１は、本発明の第１の実施形態に係る携帯電話機を示す。携帯電話機は、折りたたみ式の筐体１０を備える。筐体１０は、第１筐体部分１１と、ヒンジ１３を介して第１筐体部分１１に接続された第２筐体部分１２を備える。第１筐体部分１１は、操作キー群が設けられた操作面１１ａを備える。第２筐体部分１２は、表示画面が設けられた表示面１２ａを備える。図１は、閉状態の筐体１０を示している、閉状態において、操作面１１ａ及び表示面１２ａが対向するように第１筐体部分１１及び第２筐体部分１２が重なっている。
【００１３】
図２は、開状態の筐体１０を示している。開状態において、操作面１１ａ及び表示面１２ａがほぼ同じ方向を向くように、第１筐体部分１１及び第２筐体部分１２が開いている。
【００１４】
携帯電話機は、二次電池を電源として備え、通話機能と、ＧＰＳ機能と、その他の機能を有する。ＧＰＳ機能により、ＧＰＳ衛星からの信号に基づいて携帯電話機の位置を算出する測位が実行される。ＧＰＳ機能による測位は、携帯電話機の現在位置を示す地図を表示画面に表示する現在位置確認、携帯電話機の移動経路のデータを取得するトラッキング、外部からの問い合わせに応答して携帯電話機の位置を示すデータを送信する第三者検索などのために実行される。
【００１５】
ＧＰＳ機能による測位は、筐体１０が開状態の場合にも閉状態の場合にも実行される。現在位置確認のための測位は、使用者による操作キー群の操作に応答して実行されるため、筐体１０が開状態のときに実行される。トラッキングや第三者検索のための測位は、筐体１０が閉状態のときに実行されることが少なくない。
【００１６】
図３に示すように、携帯電話機は、ＧＰＳ機能のためのＧＰＳ受信機２０と、タイムアウト時間変更部３２と、開閉検出部３５と、通話機能のための図示されない無線送受信装置を備える。これらは、筐体１０に収容される。メモリ３１は、タイムアウト時間を示すデータを記憶する。ＧＰＳ受信機２０は、ＧＰＳエンジン２１と、ＧＰＳ回路２２を備える。ＧＰＳ回路２２は、ＧＰＳ衛星からの信号を受信するアンテナを備える。ＧＰＳエンジン２１は、信号に基づく測位を実行する。ＧＰＳエンジン２１は、測位を開始し、メモリ３１に記憶されたデータが示すタイムアウト時間内に測位が完了しない場合に測位を中止する。
【００１７】
図４に示されるように、タイムアウト時間変更部３２によって参照されるテーブル３３は、筐体１０の開状態と時間Ｔ１とを対応付け、筐体１０の閉状態と時間Ｔ２とを対応付けている。時間Ｔ２は、時間Ｔ１より長い。
【００１８】
図３を参照して、開閉検出部３５は、筐体１０の開閉状態を検出し、検出結果をタイムアウト時間変更部３２に出力する。タイムアウト時間変更部３２は、検出結果が筐体１０の開状態を示す場合、時間Ｔ１を示すデータをメモリ３１に記憶されているデータに上書きすることでタイムアウト時間を時間Ｔ１に設定する。また、タイムアウト時間変更部３２は、検出結果が筐体１０の閉状態を示す場合、時間Ｔ２を示すデータをメモリ３１に記憶されているデータに上書きすることでタイムアウト時間を時間Ｔ２に設定する。
【００１９】
本実施形態によれば、筐体１０が開状態の場合にタイムアウト時間が短くなり、筐体１０が閉状態の場合にタイムアウト時間が長くなる。したがって、筐体１０が開状態の場合にＧＰＳ機能以外の機能の使用が長時間制限されることが防がれ、筐体１０が閉状態の場合に測位が完了する確率が高くなる。なお、筐体１０が閉状態の場合には、操作キー群の操作と表示画面を見ることとができないため、ＧＰＳ機能以外の機能の使用が長時間制限されても携帯電話機の使い勝手に影響は少ない。
【００２０】
なお、ＧＰＳエンジン２１、タイムアウト時間変更部３２、開閉検出部３５の各々は、専用の電気回路により実現されてもよく、コンピュータプログラムに基づいて動作する演算処理装置により実現されてもよい。
【００２１】
（第２の実施形態）
図５に示すように、本発明の第２の実施形態に係る携帯電話機は、上述の筐体１０、ＧＰＳ受信機２０、メモリ３１、タイムアウト時間変更部３２、開閉検出部３５に加えて、動作検出部３６及びデバイス４０を備える。動作検出部３６及びデバイス４０は、筐体１０に収容される。タイムアウト時間変更部３２は、テーブル３３のかわりにテーブル３４を参照する。デバイス４０は、動作中にノイズを発生し、ＧＰＳ回路２２に悪影響を及ぼす抑圧源となる。デバイス４０としては、照度センサが例示される。照度センサによる照度の検出結果は、表示画面の明るさの調節などに利用される。デバイス４０が動作中は、ノイズのせいで、測位の完了までに時間がかかる。なお、デバイス４０は、照度センサに限定されない。
【００２２】
図６に示すように、テーブル３４は、筐体１０が開状態且つデバイス４０が動作中でない（オフ状態である）場合と時間Ｔ１とを対応付け、筐体１０が閉状態且つデバイス４０が動作中でない場合と時間Ｔ２とを対応付け、筐体１０が開状態且つデバイス４０が動作中である（オン状態である）場合と時間Ｔ３とを対応付け、筐体１０が閉状態且つデバイス４０が動作中である場合と時間Ｔ４とを対応付けている。ここで、時間Ｔ２及びＴ３の各々は、時間Ｔ１より長い。時間Ｔ４は、時間Ｔ２及びＴ３のどちらよりも長い。時間Ｔ３は、時間Ｔ２より短くてもよく、同じでもよく、長くてもよい。
【００２３】
図５を参照して、動作検出部３６は、デバイス４０が動作中かどうかを検出し、検出結果をタイムアウト時間変更部３２に出力する。タイムアウト時間変更部３２は、開閉検出部３５からの検出結果が筐体１０の開状態を示し且つ動作検出部３６からの検出結果がデバイス４０が動作中でないことを示す場合、時間Ｔ１を示すデータをメモリ３１に記録されているデータに上書きすることでタイムアウト時間を時間Ｔ１に設定する。タイムアウト時間変更部３２は、開閉検出部３５からの検出結果が筐体１０の閉状態を示し且つ動作検出部３６からの検出結果がデバイス４０が動作中でないことを示す場合、時間Ｔ２を示すデータをメモリ３１に記録されているデータに上書きすることでタイムアウト時間を時間Ｔ２に設定する。タイムアウト時間変更部３２は、開閉検出部３５からの検出結果が筐体１０の開状態を示し且つ動作検出部３６からの検出結果がデバイス４０が動作中であることを示す場合、時間Ｔ３を示すデータをメモリ３１に記録されているデータに上書きすることでタイムアウト時間を時間Ｔ３に設定する。タイムアウト時間変更部３２は、開閉検出部３５からの検出結果が筐体１０の閉状態を示し且つ動作検出部３６からの検出結果がデバイス４０が動作中であることを示す場合、時間Ｔ４を示すデータをメモリ３１に記録されているデータに上書きすることでタイムアウト時間を時間Ｔ４に設定する。
【００２４】
本実施形態によれば、筐体１０が開状態の場合にタイムアウト時間が短くなり、筐体１０が閉状態の場合にタイムアウト時間が長くなることに加えて、デバイス４０が動作中でない場合にタイムアウト時間が短くなり、デバイス４０が動作中である場合にタイムアウト時間が長くなる。したがって、デバイス４０が動作中でない場合にＧＰＳ機能以外の機能の使用が長時間制限されることが防がれ、デバイス４０が動作中の場合に測位が完了する確率が低くなることが防がれる。
【００２５】
第１筐体部分１１及び第２筐体部分１２の一方にＧＰＳ回路２２が配置され、他方にデバイス４０が配置されている場合、筐体１０が閉状態のときデバイス４０とＧＰＳ回路２２の距離が短く、筐体１０が開状態のときデバイス４０とＧＰＳ回路２２の距離が長い。デバイス４０とＧＰＳ回路２２の距離が短いほど、デバイス４０がＧＰＳ回路２２に及ぼす悪影響が大きいから、本実施形態は、第１筐体部分１１及び第２筐体部分１２の一方にＧＰＳ回路２２が配置され、他方にデバイス４０が配置されている場合に特に効果的である。また、ＧＰＳ回路２２とデバイス４０の両方が第１筐体部分１１及び第２筐体部分１２の一方に配置され、ＧＰＳ回路２２とデバイス４０が直近に実装されている場合も効果的である。
【００２６】
なお、ＧＰＳエンジン２１、タイムアウト時間変更部３２、開閉検出部３５、動作検出部３６の各々は、専用の電気回路により実現されてもよく、コンピュータプログラムに基づいて動作する演算処理装置により実現されてもよい。
【図面の簡単な説明】
【００２７】
【図１】図１は、本発明の第１の実施形態に係る携帯電話機の閉状態を示す外観図である。
【図２】図２は、第１の実施形態に係る携帯電話機の開状態を示す外観図である。
【図３】図３は、第１の実施形態に係る携帯電話機の機能ブロック図である。
【図４】図４は、第１の実施形態に係る携帯電話機が備えるテーブルを示す。
【図５】図５は、本発明の第２の実施形態に係る携帯電話機の機能ブロック図である。
【図６】図６は、第２の実施形態に係る携帯電話機が備えるテーブルを示す。
【符号の説明】
【００２８】
１０…筐体
１１…第１筐体部分
１１ａ…操作面
１２…第２筐体部分
１２ａ…表示面
１３…ヒンジ
２０…ＧＰＳ受信機
２１…ＧＰＳエンジン
２２…ＧＰＳ回路
３１…メモリ
３２…タイムアウト時間変更部
３３、３４…テーブル
３５…開閉検出部
３６…動作検出部
４０…デバイス
【図１】
0004968541.tif 000002
【図２】
0004968541.tif 000003
【図３】
0004968541.tif 000004
【図４】
0004968541.tif 000005
【図５】
0004968541.tif 000006
【図６】
0004968541.tif 000007